(57)【要約】【課題】  照射光のむらを抑制することが可能なＬＥＤ照明器具を提供すること。【解決手段】  ＬＥＤ光源部２と、ＬＥＤ光源部２からの光が入射する入射開口８１、入射開口８１から入射した光を出射する出射開口８２および反射面８３を有する反射部材８と、を備えるＬＥＤ照明器具Ａ１であって、入射開口８１を含む平面である入射開口平面Ｐ１は、出射開口８２を含む平面である出射開口平面Ｐ２に対して傾いており、反射面８３は、入射開口平面Ｐ１および出射開口平面Ｐ２に対して直角であり且つ入射開口平面８１の中心および出射開口平面８２の中心を通る基準面Ｐ３との交線である第１線分８４および第２線分８５を有し、第１線分８４は、第２線分８５よりも長く、第２線分８５が出射開口平面Ｐ２となす角度である第２角度α２は、第１線分８４が出射開口平面Ｐ２となす角度である第１角度α１よりも大きい。【選択図】  図１
2019212546.tif 000002
【特許請求の範囲】
【請求項１】
ＬＥＤを有するＬＥＤ光源部と、
前記ＬＥＤ光源部からの光が入射する入射開口、前記入射開口から入射した光を出射する出射開口および前記入射開口と前記出射開口とを繋ぎ且つ前記光を反射する反射面を有する反射部材と、を備えるＬＥＤ照明器具であって、
前記入射開口を含む平面である入射開口平面は、前記出射開口を含む平面である出射開口平面に対して傾いており、
前記反射面は、前記入射開口平面および前記出射開口平面に対して直角であり且つ前記前記入射開口平面の中心および前記出射開口平面の中心を通る基準面との交線である第１線分および第２線分を有し、
前記第１線分は、前記第２線分よりも長く、
前記第２線分が前記出射開口平面となす角度である第２角度は、前記第１線分が前記出射開口平面となす角度である第１角度よりも大きい、
ことを特徴とする、ＬＥＤ照明器具。
【請求項２】
前記第１線分の入射側端である第１入射側端と前記第２線分の出射側端である第２出射側端とを結ぶ直線であるグレアカット直線と前記出射開口平面とがなす角度であるグレアカット角度は、４０°以上である、請求項１に記載のＬＥＤ照明器具。
【請求項３】
前記第１角度は、前記グレアカット角度よりも大きい、請求項２に記載のＬＥＤ照明器具。
【請求項４】
前記第１線分および前記第２線分は、直線である、請求項１ないし３のいずれかに記載のＬＥＤ照明器具。
【請求項５】
前記ＬＥＤ光源部を支持する支持部材を備えており、
前記支持部材は、前記反射部材に対して前記基準面と直角である軸周りに回転可能である、請求項１ないし４のいずれかに記載のＬＥＤ照明器具。
【請求項６】
前記反射面の表面硬度は、４Ｈ以上の硬さである、請求項１ないし５のいずれかに記載のＬＥＤ照明器具。
【発明の詳細な説明】
【技術分野】
【０００１】
本発明は、ＬＥＤ照明器具に関する。
【背景技術】
【０００２】
ＬＥＤを有するＬＥＤ光源を有し、いわゆるダウンライトと称されるＬＥＤ照明器具が、広く用いられている。特許文献１には、従来のＬＥＤ照明器具の一例が開示されている。同文献に開示されたＬＥＤ照明器具は、ＬＥＤ光源からの光を反射させる反射面を有する反射部材を備える。この反射部材は、略半球形状であり、入射開口および出射開口を有する。出射開口は、ＬＥＤ照明器具が取り付けられるたとえば天井面に略平行に設定される。入射開口は、出射開口に対して傾いて形成されている。ＬＥＤ光源からの光は、鉛直方向に対して傾いた方向から入射開口に入射し、少なくともその一部が反射面によって反射され、出射開口から出射される。
【先行技術文献】
【特許文献】
【０００３】
【特許文献１】特開２０１４−７８３７５号公報
【発明の概要】
【発明が解決しようとする課題】
【０００４】
出射開口から出射された光は、たとえば床面等に照射される。この照射光は、より均一に床面等を照らすことが好ましい。しかし、反射部材の構成等に起因して、照射光にむらが生じるという問題がある。
【０００５】
本発明は、上記した事情のもとで考え出されたものであって、照射光のむらを抑制することが可能なＬＥＤ照明器具を提供することをその課題とする。
【課題を解決するための手段】
【０００６】
本発明によって提供されるＬＥＤ照明器具は、ＬＥＤを有するＬＥＤ光源部と、前記ＬＥＤ光源部からの光が入射する入射開口、前記入射開口から入射した光を出射する出射開口および前記入射開口と前記出射開口とを繋ぎ且つ前記光を反射する反射面を有する反射部材と、を備えるＬＥＤ照明器具であって、前記入射開口を含む平面である入射開口平面は、前記出射開口を含む平面である出射開口平面に対して傾いており、前記反射面は、前記入射開口平面および前記出射開口平面に対して直角であり且つ前記前記入射開口平面の中心および前記出射開口平面の中心を通る基準面との交線である第１線分および第２線分を有し、前記第１線分は、前記第２線分よりも長く、前記第２線分が前記出射開口平面となす角度である第２角度は、前記第１線分が前記出射開口平面となす角度である第１角度よりも大きい、ことを特徴としている。
【０００７】
本発明の好ましい実施の形態においては、前記第１線分の入射側端である第１入射側端と前記第２線分の出射側端である第２出射側端とを結ぶ直線であるグレアカット直線と前記出射開口平面とがなす角度であるグレアカット角度は、４０°以上である。
【０００８】
本発明の好ましい実施の形態においては、前記第１角度は、前記グレアカット角度よりも大きい。
【０００９】
本発明の好ましい実施の形態においては、前記第１線分および前記第２線分は、直線である。
【００１０】
本発明の好ましい実施の形態においては、前記ＬＥＤ光源部を支持する支持部材を備えており、前記支持部材は、前記反射部材に対して前記基準面と直角である軸周りに回転可能である。
【００１１】
本発明の好ましい実施の形態においては、前記反射面の表面硬度は、４Ｈ以上の硬さである。
【発明の効果】
【００１２】
本発明によれば、照射光のむらを抑制することができる。
【００１３】
本発明のその他の特徴および利点は、添付図面を参照して以下に行う詳細な説明によって、より明らかとなろう。
【図面の簡単な説明】
【００１４】
【図１】本発明の第１実施形態に係るＬＥＤ照明器具を示す斜視図である。
【図２】本発明の第１実施形態に係るＬＥＤ照明器具を示す分解斜視図である。
【図３】本発明の第１実施形態に係るＬＥＤ照明器具を示す側面図である。
【図４】本発明の第１実施形態に係るＬＥＤ照明器具を示す平面図である。
【図５】本発明の第１実施形態に係るＬＥＤ照明器具を示す底面図である。
【図６】本発明の第１実施形態に係るＬＥＤ照明器具を示す正面図である。
【図７】本発明の第１実施形態に係るＬＥＤ照明器具を示す背面図である。
【図８】図４のＶＩＩＩ−ＶＩＩＩ線に沿う断面図である。
【図９】図５のＩＸ−ＩＸ線に沿う断面図である。
【図１０】図４のＸ−Ｘ線に沿う断面図である。
【図１１】図８のＸＩ−ＸＩ線に沿う断面図である。
【図１２】本発明の第１実施形態に係るＬＥＤ照明器具の反射部材を示す（ａ）は平面図であり、（ｂ）は背面図であり、（ｃ）は底面図であり、（ｄ）は正面図であり、（ｅ）は側面図である。
【図１３】図１２（ｂ）のＸＩＩＩ−ＸＩＩＩ線に沿う断面図である。
【図１４】本発明の第１実施形態に係るＬＥＤ照明器具による照射光の一例を示す図である。
【図１５】比較例のＬＥＤ照明器具による照射光を示す図である。
【発明を実施するための形態】
【００１５】
以下、本発明の好ましい実施の形態につき、図面を参照して具体的に説明する。
【００１６】
本開示における「第１」、「第２」、「第３」等の用語は、単にラベルとして用いたものであり、必ずしもそれらの対象物に順列を付することを意図していない。
【００１７】
＜第１実施形態＞
図１〜図１３は、本発明の第１実施形態に係るＬＥＤ照明器具を示している。本実施形態のＬＥＤ照明器具Ａ１は、支持部材１、ＬＥＤ光源部２、レンズ部材３、配光部材３９、レンズ保持部材４、取付部材５、入射側リング部材６、出射側リング部材７、反射部材８、複数のバネ部材９１、ケーブル９３およびケーブル保持具９４を備えている。
【００１８】
図１は、ＬＥＤ照明器具Ａ１を示す斜視図である。図２は、ＬＥＤ照明器具Ａ１を示す分解斜視図である。図３は、ＬＥＤ照明器具Ａ１を示す側面図である。図４は、ＬＥＤ照明器具Ａ１を示す平面図である。図５は、ＬＥＤ照明器具Ａ１を示す底面図である。図６は、ＬＥＤ照明器具Ａ１を示す正面図である。図７は、ＬＥＤ照明器具Ａ１を示す背面図である。図８は、図４のＶＩＩＩ−ＶＩＩＩ線に沿う断面図である。図９は、図５のＩＸ−ＩＸ線に沿う断面図である。図１０は、図４のＸ−Ｘ線に沿う断面図である。図１１は、図８のＸＩ−ＸＩ線に沿う断面図である。図１２は、ＬＥＤ照明器具Ａ１の反射部材８を示す（ａ）は平面図であり、（ｂ）は背面図であり、（ｃ）は底面図であり、（ｄ）は正面図であり、（ｅ）は側面図である。図１３は、図１２（ｂ）のＸＩＩＩ−ＸＩＩＩ線に沿う断面図である。なお、これらの図において、ｘ方向およびｙ方向は、ＬＥＤ照明器具Ａ１の設置対象物の一例である天井面と平行な方向である。ｚ方向は、いわゆる上下方向または鉛直方向と称される方向に相当する。
【００１９】
＜支持部材１＞
支持部材１は、ＬＥＤ光源部２を支持するためのものである。図１および図２に示すように、本実施形態の支持部材１は、支持部材本体１１、複数の放熱リブ１２および支持面１３を有する。
【００２０】
支持部材１の材質は特に限定されない。ＬＥＤ光源部２からの熱をより効率よく放熱する観点から、支持部材１は、熱伝導率に優れた材質からなることが好ましい。支持部材１の材質としては、アルミ等の金属が例示される。以降の説明においては、支持部材１が、アルミからなる場合を例に説明する。アルミからなる支持部材１は、たとえばｚ方向への押出成形によって形成してもよい。
【００２１】
支持部材本体１１は、図８〜図１０に示すように、支持部材１の土台となる部位である。図示された例においては、支持部材本体１１は、ｚ方向に延びる柱状の部位であり、たとえば円柱形状である。なお、支持部材本体１１は、たとえば多角形柱状であってもよいし、柱状以外の形状であってもよい。
【００２２】
複数の放熱リブ１２は、図２、図４および図８に示すように、支持部材本体１１から略放射状に延びた部位である。複数の放熱リブ１２は、ＬＥＤ光源部２から支持部材本体１１に伝わった熱を、より効率よく外部へと放熱するための部位である。図示された例においては、放熱リブ１２は、支持部材本体１１から延びる幹部と、当該幹部から延びる複数の枝部とを有する形状であるが、放熱リブ１２の形状は特に限定されない。また、図示された例においては、放熱リブ１２は、ｚ方向と直角である断面形状が略一定であるが、一定でない形状であってもよい。
【００２３】
支持面１３は、ＬＥＤ光源部２を支持する面である。図２、図８および図９に示すように、本実施形態においては、支持面１３は、支持部材本体１１のｚ方向における一端面である。図示された例においては、支持面１３は、ｚ方向に対して直角である平面である。
【００２４】
＜ＬＥＤ光源部２＞
ＬＥＤ光源部２は、ＬＥＤ照明器具Ａ１の光源であり、図２、図８および図９に示すように、支持部材１の支持面１３に支持されている。ＬＥＤ光源部２の構成は特に限定されず、本実施形態においては、ＬＥＤ基板２１およびＬＥＤ２２を有する。
【００２５】
ＬＥＤ基板２１は、ＬＥＤ２２が実装される部材であり、支持部材１の支持面１３に固定される。ＬＥＤ基板２１の構成は特に限定されず、たとえばセラミックスやガラスエポキシ樹脂からなる基材と、当該基材に形成された配線パターンを有する。ＬＥＤ基板２１を支持部材１の支持面１３に固定する手法は特に限定されず、たとえばねじを用いた締結や接着剤を用いた接着等が適宜採用される。
【００２６】
ＬＥＤ２２は、発光機能を果たすものであり、たとえば半導体層が積層されたチップである。ＬＥＤ２２の個数は特に限定されず、光量向上の観点から、ＬＥＤ光源部２は複数のＬＥＤ２２を備えることが好ましい。
【００２７】
ＬＥＤ２２の種類等は特に限定されない。ＬＥＤ２２の一例を挙げると、ＧａＮ系半導体層からなる場合に、ＬＥＤ２２は、青色光を発する。この場合、ＬＥＤ光源部２は、ＬＥＤ２２を覆う封止樹脂を有していてもよい。この封止樹脂は、たとえば透明なエポキシ樹脂やシリコーン樹脂に蛍光材料を含有する。この形状材料は、ＬＥＤ２２からの青色光によって励起されることにより、たとえば黄色光を発する。ＬＥＤ２２からの青色光と蛍光材料からの黄色光とが混色することにより、ＬＥＤ光源部２からは、昼白色、昼光色および電球色等に代表される色の光が発せられる。
【００２８】
＜レンズ部材３＞
レンズ部材３は、図２、図８および図９に示すように、ＬＥＤ光源部２のｚ方向直下に配置されている。レンズ部材３は、ＬＥＤ照明器具Ａ１の使用目的等に応じて、ＬＥＤ光源部２からの光を屈折させることにより、光の指向性を調整するためのものである。レンズ部材３の材質は特に限定されず、たとえば透明なアクリル樹脂、エポキシ樹脂やガラス等からなる。
【００２９】
図８および図９に示すように、本実施形態のレンズ部材３は、入射面３１、出射面３２、凹部３３、反射内面３４およびフランジ部３５を有する。図示された例においては、レンズ部材３は、ＬＥＤ光源部２からの光の指向性を高める機能を果たす。
【００３０】
入射面３１は、ＬＥＤ光源部２からの光が入射する面であり、図示された例においては、ＬＥＤ光源部２のｚ方向直下においてＬＥＤ光源部２と正対している。入射面３１の形状は特に限定されず、図示された例においては、ｚ方向においてＬＥＤ光源部２側（上側）に膨出する凸曲面である。また、入射面３１は、ｚ方向視において略円形状である。
【００３１】
出射面３２は、入射面３１から入射した光が出射する面である。出射面３２は、ｚ方向において入射面３１とは反対側に位置している。出射面３２の形状は特に限定されず、図示された例においては、ｚ方向視において略円形状である。また、図５に示すように、図示された例においては、出射面３２は、中央部に複数の凹凸面からなる部位を有する。ただし、このような出射面３２は、一構成例であり、その具体的な構成は何ら限定されない。
【００３２】
凹部３３は、図８および図９に示すように、ｚ方向上側からｚ方向下側に凹む部位である。本実施形態においては、凹部３３の底面が、入射面３１となっている。凹部３３は、たとえばｚ方向視において円形状である。図示された例においては、凹部３３のｚ方向視における大きさは、ＬＥＤ光源部２のｚ方向視における大きさよりも大きく、ｚ方向視において凹部３３は、ＬＥＤ光源部２を内包している。
【００３３】
反射内面３４は、入射面３１から入射し、レンズ部材３内を進行してきた光の一部を反射する面である。反射内面３４の形状は特に限定されず、本実施形態においては、ｚ方向上側から下側に向かうほど、ｚ方向と直角である断面形状が大きくなるパラボラ状である。
【００３４】
フランジ部３５は、反射内面３４のｚ方向下側端からｘｙ平面に略沿うように外方に延出した部位である。フランジ部３５の形状は特に限定されず、図示された例においては、ｚ方向視において円環形状である。
【００３５】
＜配光部材３９＞
配光部材３９は、図２、図５および図８〜図１０に示すように、レンズ部材３の出射面３２のｚ方向直下に配置されている。配光部材３９は、レンズ部材３の出射面３２から出射された光が、所望の方向に向かう割合を高めるためのものである。なお、配光部材３９の構成は特に限定されない。配光部材３９の具体的構成の一例としては、金属板が折り曲げ加工等されることにより形成されたものが挙げられる。また、ＬＥＤ照明器具Ａ１は、配光部材３９を備えない構成であってもよい。
【００３６】
図５および図８〜図１０に示すように、図示された例においては、配光部材３９は、複数の配光孔３９１を有する。複数の配光孔３９１は、各々が、ｚ方向上側および下側に開口している。このような配光孔３９１は、ｚ方向に沿って進行する光を通過させ、ｚ方向に対して大きく傾いた方向に進行する光を遮ったり反射したりする機能を果たす。図５に示すように、図示された例においては、配光部材３９は、いわゆるハニカム構造とされており、配光孔３９１は、ｚ方向視において六角形状であるが、これに限定されるものではない。
【００３７】
＜レンズ保持部材４＞
図１、図２、図３および図８〜図１０に示すように、レンズ保持部材４は、支持部材１に固定されており、レンズ保持部材４を保持するための部材である。レンズ保持部材４の材質は特に限定されず、金属や樹脂等が適宜採用され、その一具体例としてたアルミが挙げられる。
【００３８】
本実施形態のレンズ保持部材４は、図３および図６〜図１０に示すように、筒状部４１、フランジ部４２、複数のリブ４３、複数の突条部４４および係合凹部４５を有する。
【００３９】
筒状部４１は、ｚ方向を軸方向とする筒状の部位であり、図示された例においては、円柱形状である。筒状部４１は、レンズ部材３を収容している。
【００４０】
フランジ部４２は、筒状部４１のｚ方向上端からｘｙ平面に略沿うように外方および内方に延出した部位である。フランジ部４２の形状は特に限定されず、図示された例においては、ｚ方向視において円環形状である。フランジ部４２は、支持部材１に取り付けられている。
【００４１】
複数のリブ４３は、筒状部４１とフランジ部４２とに繋がっており、各々がｚ方向に沿った平板状である。複数のリブ４３は、ｚ方向視において放射状に配置されている。リブ４３は、たとえば、支持部材１からフランジ部４２へと伝わった熱を、外部に放熱する機能を果たす。
【００４２】
複数の突条部４４は、筒状部４１の外面に設けられており、各々がｚ方向に沿った形状である。複数の突条部４４は、取付部材５の取付に用いられる。図示された例においては、複数の突条部４４の個数は、３個である。
【００４３】
係合凹部４５は、筒状部４１のｚ方向下端部分に設けられている。係合凹部４５は、筒状部４１の下端面からｚ方向上側に凹んでおり、筒状部４１の内周面から外側に凹んでいる。係合凹部４５には、レンズ部材３のフランジ部３５が係合している。これにより、レンズ部材３のレンズ保持部材４に対する位置決めがなされ、レンズ部材３をより確実に保持することができる。
【００４４】
＜取付部材５＞
取付部材５は、図１〜図３に示すように、支持部材１、ＬＥＤ光源部２、レンズ部材３およびレンズ保持部材４を、入射側リング部材６、出射側リング部材７および反射部材８に対して、回転可能に取り付けるための部材である。本実施形態においては、取付部材５は、レンズ保持部材４と入射側リング部材６とに固定されているが、これは取付部材５の取付構造に一例であり、これに限定されない。取付部材５の材質は特に限定されず、図示された例においては、たとえば金属板が折り曲げ加工や切断加工等されることによって形成されている。
【００４５】
本実施形態の取付部材５は、図２、図３、図６、図７および図１０に示すように、環状部５１、複数の第１延出部５２、複数の側部５３および複数の第２延出部５４を有する。
【００４６】
環状部５１は、レンズ保持部材４および配光部材３９のｚ方向直下に配置されている。環状部５１の形状は特に限定されず、図示された例においては、ｚ方向視において円環形状の部位であり、配光部材３９およびレンズ部材３をｚ方向下方から支える部位である。
【００４７】
複数の第１延出部５２は、環状部５１から外方に延出する部位である。図示された例においては、２つの第１延出部５２が、環状部５１からｙ方向両側に延出しており、レンズ保持部材４から突出している。第１延出部５２の形状は特に限定されず、図示された例においては、帯状である。
【００４８】
複数の側部５３は、複数の第１延出部５２の先端からｚ方向下方に向かって延びる部位である。図示された例においては、２つの側部５３が２つの第１延出部５２から延びている。側部５３の形状は特に限定されず、図示された例においては、帯状である。
【００４９】
複数の第２延出部５４は、環状部５１から外方に延出した部位である。第２延出部５４の個数は特に限定されず、図示された例においては、突条部４４の個数に対応して３個である。図８に示すように、第２延出部５４は、ねじ５６によってレンズ保持部材４の突条部４４に固定されている。これにより、取付部材５がレンズ保持部材４に対して固定されている。
【００５０】
＜入射側リング部材６＞
入射側リング部材６は、取付部材５が取り付けられる部材である。図１〜図３に示すように、入射側リング部材６は、レンズ保持部材４および取付部材５のｚ方向直下に配置されている。入射側リング部材６の材質は特に限定されず、金属や樹脂等が適宜採用され、その一具体例としてたアルミが挙げられる。
【００５１】
図３および図６〜図１０に示すように、本実施形態の入射側リング部材６は、筒状部６１、係合リブ６２、複数の取付孔６４、複数の係合爪部６５および複数の位置決めリブ６６を有する。
【００５２】
筒状部６１は、図８〜図１０に示すように、ｚ方向を軸方向とする筒状の部位であり、図示された例においては、略円柱形状である。筒状部６１は、反射部材８の少なくとも一部を収容している。また、図示された例においては、筒状部６１は、テーパ部６１１を有する。テーパ部６１１は、筒状部６１のｚ方向上端部の一部であり、ｘ方向に対して傾いた部位である。
【００５３】
係合リブ６２は、図２、図８および図９に示すように、筒状部６１の外周面から突出する部位である。係合リブ６２は、筒状部６１の外周面のｚ方向中央付近において周方向に沿って形成されている。
【００５４】
複数の取付孔６４は、図２および図１０に示すように、筒状部６１に設けられた貫通孔である。図１０に示すように、図示された例においては、２つの取付孔６４が設けられている。取付孔６４は、筒状部６１をｙ方向に貫通している。２つの取付孔６４には、取付部材５の２つの側部５３が、２つのねじ５５によって取り付けられている。本実施形態においては、取付部材５の２つの側部５３は、入射側リング部材６の筒状部６１に対して、ねじ５５を通るｙ方向に延びる軸周りに回転可能に取り付けられている。
【００５５】
複数の係合爪部６５は、図２および図８に示すように、筒状部６１のｚ方向下端に設けられており、外方に突出している。複数の係合爪部６５は、入射側リング部材６と出射側リング部材７とを係合によって互いに固定するためのものである。複数の係合爪部６５の個数は特に限定されず、図示された例においては、３個である。
【００５６】
複数の位置決めリブ６６は、反射部材８の入射側リング部材６に対する周方向位置（角度）を位置決めするためのものである。図２および図１１に示すように、複数の位置決めリブ６６は、筒状部６１の内周面から内方に突出している。図示された例においては、２つの位置決めリブ６６が設けられている。２つの位置決めリブ６６は、図１１に示すように、ｙ方向において隙間をおいて並んで設けられた部分を有している。
【００５７】
また、図１０に示すように、本実施形態の入射側リング部材６には、２つの係合部材６９が設けられている。２つの係合部材６９は、筒状部６１等とは別体の部材によって構成されており、たとえばバネ板を折り曲げ加工等することによって形成されている。２つの係合部材６９は、筒状部６１の内側に設けられており、互いにｙ方向に離れて配置されている。２つの係合部材６９は、反射部材８を入射側リング部材６に対して脱着自在に取り付けるためのものである。
【００５８】
＜出射側リング部材７＞
出射側リング部材７は、入射側リング部材６および反射部材８が取り付けられる部材である。図１〜図３に示すように、出射側リング部材７は、入射側リング部材６と一部同士が重なるように、入射側リング部材６に対してｚ方向下方にずれた位置に配置されている。出射側リング部材７の材質は特に限定されず、金属や樹脂等が適宜採用され、その一具体例としてたアルミが挙げられる。
【００５９】
本実施形態の出射側リング部材７は、図２、図３および図８に示すように、筒状部７１、フランジ部７２、係合凹部７３、係合凹部７４および係合凹部７５を有する。
【００６０】
筒状部７１は、ｚ方向を軸方向とする筒状の部位であり、図示された例においては、略円柱形状である。筒状部６１は、出射側リング部材７および反射部材８の少なくとも一部ずつを収容している。
【００６１】
フランジ部７２は、筒状部７１のｚ方向下側端からｘｙ平面に略沿うように外方に延出した部位である。フランジ部７２の形状は特に限定されず、図示された例においては、ｚ方向視において円環形状である。本実施形態においては、ＬＥＤ照明器具Ａ１が天井面に設置される場合、フランジ部７２のｚ方向上面が天井面に当接し、フランジ部７２が、下方から視認される。
【００６２】
係合凹部７３は、筒状部７１のｚ方向上端部分に設けられている。係合凹部７３は、筒状部７１の上端面からｚ方向下側に凹んでおり、筒状部７１の内周面から外側に凹んでいる。筒状部７１には、入射側リング部材６の係合リブ６２が係合する。これにより、入射側リング部材６の出射側リング部材７に対する位置決めがなされる。
【００６３】
係合凹部７４は、筒状部７１のｚ方向下端部分に設けられている。係合凹部７４は、筒状部７１の下端面からｚ方向上側に凹んでおり、筒状部７１の内周面から外側に凹んでいる。係合凹部７４には、後述の反射部材８のフランジ部８６が係合する。これにより、反射部材８の出射側リング部材７に対する位置決めがなされる。
【００６４】
係合凹部７５は、図８に示すように、筒状部７１の内周面から凹んだ部位である。係合凹部７５は、係合爪部６５と係合することにより、入射側リング部材６と出射側リング部材７とを脱着自在に固定するためのものである。本実施形態においては、複数の係合爪部６５の個数に対応して、３つの係合凹部７５が設けられている。
【００６５】
＜反射部材８＞
反射部材８は、ＬＥＤ光源部２によって発せられた光を反射し、照射する領域等を調節するためのものである。図１、図２および図８に示すように、本実施形態の反射部材８は、ＬＥＤ光源部２およびレンズ部材３に対してｚ方向下側に配置されており、入射側リング部材６および出射側リング部材７によって収容されている。反射部材８の材質は特に限定されず、金属や樹脂等が適宜採用され、その一具体例としてたアルミが挙げられる。
【００６６】
本実施形態の反射部材８は、図８および図１０〜図１３に示すように、筒状部８０、入射開口８１、出射開口８２、反射面８３、フランジ部８６、位置決めリブ８７および複数の係合突起８８を有する。
【００６７】
筒状部８０は、反射部材８の本体部分である。筒状部８０は、ｚ方向上側から下側に向かうほど、ｚ方向と直角である断面形状が大きくなる略コーン状の部位である。図８に示すように、筒状部８０の中心線Ｏは、ｚ方向に対して傾いている。
【００６８】
入射開口８１は、ＬＥＤ光源部２によって発せられた光が入射する開口である。図示された例においては、入射開口８１は、筒状部８０のｚ方向上端の開口部位である。中心線Ｏは、入射開口８１の中心を通る。図８および図１３に示すように、入射開口８１を含む平面を、入射開口平面Ｐ１と定義する。入射開口平面Ｐ１は、ｘ方向に対して傾いており、ｙ方向に対して平行である。
【００６９】
出射開口８２は、入射開口８１から入射した光が出射する開口である。図示された例においては、入射開口８１は、筒状部８０のｚ方向下端の開口部位である。中心線Ｏは、出射開口８２の中心を通る。図８および図１３に示すように、出射開口８２を含む平面を、出射開口平面Ｐ２と定義する。本実施形態においては、出射開口平面Ｐ２は、ｘ方向およびｙ方向に対して平行である。
【００７０】
反射面８３は、入射開口８１から入射した光を反射する面であり、筒状部８０の内周面である。反射面８３は、光を想定された程度に反射する面であれば、その表面性状等は特に限定されない。本実施形態においては、反射面８３の表面硬度は、４Ｈ以上の硬さである。このような反射面８３の具体例としては、たとえばコーティング等を行う。このようなコーティングの一例としては、たとえば高硬度ガラスコーティングが挙げられる。高硬度ガラスコーティングの被膜は、主成分がたとえば無機質の４官能性のシリコンレジンである。このような高硬度ガラスコーティングを用いた場合、ガラス被膜の硬度は、たとえば８Ｈ〜９Ｈ程度である。高硬度ガラスコーティングを用いると、反射面８３の耐摩傷性・耐酸性・耐熱性・耐溶剤性・耐候性・耐汚染性・撥水性を高めることができる。また、高硬度ガラスコーティングによって、反射面８３が受ける紫外線を減少させることができる。
【００７１】
図８、図１２および図１３に示すように、入射開口平面Ｐ１および出射開口平面Ｐ２と直角であり、入射開口８１の中心および出射開口８２の中心を通る中心線Ｏを含む平面を、基準面Ｐ３と定義する。本実施形態においては、基準面Ｐ３は、ｙｚ平面である。反射面８３は、基準面Ｐ３との交戦である第１線分８４および第２線分８５を有する。
【００７２】
第１線分８４と第２線分８５とは、ｘ方向において互いに反対側に位置している。第１線分８４は、反射面８３よりも長い。本実施形態においては、第１線分８４および第２線分８５は、いずれも直線であるが、具体的な形状は特に限定されず、たとえば曲線であってもよい。
【００７３】
図８および図１３に示すように、第１線分８４は、第１入射側端８４１および第１出射側端８４２を有する。第１入射側端８４１は、第１線分８４のｚ方向における入射側端である。第１出射側端８４２は、第１線分８４のｚ方向における出射側端である。
【００７４】
図８および図１３に示すように、第２線分８５は、第２入射側端８５１および第２出射側端８５２を有する。第２入射側端８５１は、第２線分８５のｚ方向における入射側端である。第２出射側端８５２は、第２線分８５のｚ方向における出射側端である。第２入射側端８５１は、ｚ方向において第１入射側端８４１よりも上側に位置している。第２出射側端８５２は、ｚ方向において第１出射側端８４２と略同じ位置にある。
【００７５】
ここで、第１線分８４が出射開口平面Ｐ２となす角度を、第１角度α１と定義する。また、第２線分８５が出射開口平面Ｐ２となす角度を、第２角度α２と定義する。第２角度α２は、第１角度α１よりも大きい。第１角度α１および第２角度α２の大きさの一例を挙げると、第１角度α１は、５０°程度であり、第２角度α２は、７５°程度である。
【００７６】
また、図８および図１３に示すように、第１入射側端８４１と第２出射側端８５２とを結ぶ直線を、グレアカット直線Ｌ１と定義する。グレアカット直線Ｌ１と出射開口平面Ｐ２とがなす角度を、グレアカット角度α３と定義する。本実施形態においては、グレアカット角度α３は、４０°以上である。また、好ましくは、第１角度α１は、グレアカット角度α３よりも大きい。
【００７７】
フランジ部８６は、図８、図１２および図１３に示すように、筒状部８０のｚ方向下端（出射開口８２）から、ｘｙ平面（出射開口平面Ｐ２）に沿って外方に延出する部位である。フランジ部８６の形状は特に限定されず、図示された例においては、ｚ方向視において円環形状である。図８に示すように、フランジ部８６は、出射側リング部材７の係合凹部７４に係合する。これにより、ｚ方向における反射部材８の出射側リング部材７に対する位置決めがなされる。
【００７８】
位置決めリブ８７は、図８および図１１〜図１３に示すように、筒状部８０の外周面から突出している。位置決めリブ８７は、ｚｘ平面に沿った板状部位である。図１１に示すように、位置決めリブ８７は、入射側リング部材６の２つの位置決めリブ６６にｙ方向用側から挟まれている。これにより、反射部材８の入射側リング部材６に対する周方向位置が規定される。
【００７９】
複数の係合突起８８は、図１０および図１２に示すように、筒状部８０の外周面から突出している。図示された例においては、２つの係合突起８８が、ｙ方向両側に離れて設けられている。図１０に示すように、係合突起８８は、係合部材６９と係合する。これにより、反射部材８は、入射側リング部材６に対して脱着自在に取り付けられている。
【００８０】
＜複数のバネ部材９１＞
【００８１】
複数のバネ部材９１は、図１〜図３に示すように、出射側リング部材７に取り付けられている。複数のバネ部材９１は、ＬＥＤ照明器具Ａ１を天井面に設けられたダウンライトを取り付けるための孔に対してＬＥＤ照明器具Ａ１を保持するためのものである。バネ部材９１の材質は特に限定されず、ＬＥＤ照明器具Ａ１を保持しうる弾性力を生じるものであればよく、たとえばバネ板を用いて形成される。図示された例においては、３つのバネ部材９１が等ピッチで配置されている。
【００８２】
＜ケーブル９３＞
ケーブル９３は、ＬＥＤ光源部２を発光するための電力を通電させるためのものである。図１〜図３に示すように、本実施形態においては、ケーブル９３は、支持部材１のｚ方向上端から外方（ｘ方向）に向かって延びている。ケーブル９３は、たとえば図示しない電源に接続される。
【００８３】
＜ケーブル保持具９４＞
ケーブル保持具９４は、ケーブル９３の一部を支持部材１に対して固定するためのものである。ケーブル保持具９４の材質は特に限定されず、金属または絶縁性材料からなる。絶縁材料としては、たとえば樹脂が挙げられる。
【００８４】
次に、ＬＥＤ照明器具Ａ１の作用について説明する。
【００８５】
図１４は、ＬＥＤ照明器具Ａ１による照射光の一例を示す図である。図１５は、比較例のＬＥＤ照明器具による照射光を示す図である。比較例のＬＥＤ照明器具は、図８および図１３に示す反射部材８の構成が、ＬＥＤ照明器具Ａ１と異なる。具体的には、ＬＥＤ照明器具Ａ１では、第２角度α２が第１角度α１よりも大きいが、比較例では、第２角度α２と第１角度α１とは略同じである。これは、たとえば、従来技術のＬＥＤ照明器具のように反射部材が略半球形状である場合が一例に相当する。また、ＬＥＤ照明器具Ａ１では、グレアカット角度α３が４０°以上であるのに対し、比較例では、グレアカット角度は４０°未満である。
【００８６】
図１４に示す照射光は、図１５に示す照射光よりも明らかにムラが少ない。この要因として、まず、ＬＥＤ照明器具Ａ１では、第２角度α２が第１角度α１よりも大きいことが挙げられる。このような構成により、入射開口８１の大きさをｘ方向により大きくすることが可能であり、ＬＥＤ光源部２（レンズ部材３）からの光を入射開口８１により多く入射させることができる。また、比較例のように、第２角度α２と第１角度α１とが略同じであると、相対的に長さが短い部分（第２線分８５に相当する部分）に到達する光量が制限され、十分な反射機能を果たしにくい。ＬＥＤ照明器具Ａ１では、第２角度α２が第１角度α１よりも大きいことにより、第２線分８５に到達する光量を増加させ、十分な反射機能を果たさせることが可能である。これにより、ＬＥＤ照明器具Ａ１の照射光はムラが抑制されていると考えられる。
【００８７】
また、発明者の研究によれば、グレアカット角度α３の大きさが、照射光のムラの増減を左右する一因であるという知見が得られた。その結果、グレアカット角度α３が４０°以上であると、照射光のムラが抑制される効果が確認された。
【００８８】
以上の通り、ＬＥＤ照明器具Ａ１によれば、照射光のムラを抑制することができる。
【００８９】
第１角度α１がグレアカット角度α３よりも大きい構成は、照射光のムラを抑制するのに好ましい。
【００９０】
第１線分８４および第２線分８５が直線であることは、反射面８３が、いわゆるコーン状の曲面であることを意味する。このような反射面８３によれば、照射光のムラをさらに抑制することが期待できる。
【００９１】
取付部材５を介して支持部材１が反射部材８に対して回転可能に取り付けられていることにより、入射開口８１に対するＬＥＤ光源部２（レンズ部材３）の角度や姿勢を任意に変更することが可能である。これにより、照射光が向かう領域や照射状態を適宜調節することができる。
【００９２】
反射面８３の表面硬度を４Ｈ以上とすることにより、使用によって反射面８３に傷等が生じることを抑制することが可能である。これにより、反射面８３の反射率が低下することを抑制し、照射光の光量低下やムラの増加を抑制することができる。
【００９３】
本発明に係るＬＥＤ照明器具は、上述した実施形態に限定されるものではない。本発明に係るＬＥＤ照明器具の各部の具体的な構成は、種々に設計変更自在である。
【符号の説明】
【００９４】
Ａ１    ：ＬＥＤ照明器具
１      ：支持部材
２      ：ＬＥＤ光源部
３      ：レンズ部材
４      ：レンズ保持部材
５      ：取付部材
６      ：入射側リング部材
７      ：出射側リング部材
８      ：反射部材
１１    ：支持部材本体
１２    ：放熱リブ
１３    ：支持面
２１    ：ＬＥＤ基板
２２    ：ＬＥＤ
３１    ：入射面
３２    ：出射面
３３    ：凹部
３４    ：反射内面
３５    ：フランジ部
３９    ：配光部材
４１    ：筒状部
４２    ：フランジ部
４３    ：リブ
４４    ：突条部
４５    ：係合凹部
５１    ：環状部
５２    ：第１延出部
５３    ：側部
５４    ：第２延出部
５５，５６：ねじ
６１    ：筒状部
６２    ：係合リブ
６４    ：取付孔
６５    ：係合爪部
６６    ：位置決めリブ
６９    ：係合部材
７１    ：筒状部
７２    ：フランジ部
７３，７４，７５：係合凹部
８０    ：筒状部
８１    ：入射開口
８２    ：出射開口
８３    ：反射面
８４    ：第１線分
８５    ：第２線分
８６    ：フランジ部
８７    ：位置決めリブ
８８    ：係合突起
９１    ：バネ部材
９３    ：ケーブル
９４    ：ケーブル保持具
３９１  ：配光孔
６１１  ：テーパ部
８４１  ：第１入射側端
８４２  ：第１出射側端
８５１  ：第２入射側端
８５２  ：第２出射側端
Ｌ１    ：グレアカット直線
Ｏ      ：中心線
Ｐ１    ：入射開口平面
Ｐ２    ：出射開口平面
Ｐ３    ：基準面
α１    ：第１角度
α２    ：第２角度
α３    ：グレアカット角度
【図１】
2019212546.tif 000003
【図２】
2019212546.tif 000004
【図３】
2019212546.tif 000005
【図４】
2019212546.tif 000006
【図５】
2019212546.tif 000007
【図６】
2019212546.tif 000008
【図７】
2019212546.tif 000009
【図８】
2019212546.tif 000010
【図９】
2019212546.tif 000011
【図１０】
2019212546.tif 000012
【図１１】
2019212546.tif 000013
【図１２】
2019212546.tif 000014
【図１３】
2019212546.tif 000015
【図１４】
2019212546.tif 000016
【図１５】
2019212546.tif 000017